(57)【要約】【課題】トレーの左右幅の大小を問わず、トレーを並置できない無駄な空間を極力排除し、トレーを棚板上に効率的に可及的多く並置することができるトレー棚を提供する。【解決手段】  複数の物品収容用のトレー９を、棚板５上に左右方向に並置してなるトレー棚において、ブラケット４を、前後方向の水平片６ａと、この水平片後端より、上方または下方の少なくとも一方に向けて連設した支持片６ｂとによって、側面視横向きＬ字状または横向きＴ字状に形成した棚板支持部６と、前記支持片６ｂの後面に取り付けた掛止部７とから形成するとともに、前記ブラケット４を、トレー棚の後部に配設した支持体（支柱）１に前記掛止部７をもって掛止し、かつこれらブラケット４間に、後端に上向きの落ち止め片５ａを設けた棚板５を架設したトレー棚とする。【選択図】図２
2008212304.tif 000002
【特許請求の範囲】
【請求項１】
複数の物品収容用のトレーを、棚板上に左右方向に並置してなるトレー棚において、ブラケットを、前後方向の水平片と、この水平片後端より、上方または下方の少なくとも一方に向けて連設した支持片とによって、側面視横向きＬ字状または横向きＴ字状に形成した棚板支持部と、前記支持片の後面に取り付けた掛止部とから形成するとともに、複数の前記ブラケットを、トレー棚の後部に配設した支持体に前記掛止部をもって掛止し、かつこれらブラケット間に、後端に上向きの落ち止め片を設けた棚板を架設したことを特徴とするトレー棚。
【請求項２】
トレー棚の後部に配設した支持体を、複数の支柱によって構成したことを特徴とする請求項１記載のトレー棚。
【請求項３】
トレー棚の後部に配設した支持体に掛止した複数のブラケットのうち、左右端のブラケットの左右方向の外側位置に、側面板を設けるか、または側面板を設けずに側方が開放された形態で構成したことを特徴とする請求項１または２記載のトレー棚。
【請求項４】
左右端のブラケットの左右方向の外側位置の少なくとも一方に側面板を設けずに側方を開放した形態の複数のトレー棚を、開放端部同士を隣接して配置し、隣接する左右のトレー棚における両棚板に跨ってトレーを左右方向に並置可能としたことを特徴とする請求項３記載のトレー棚。
【請求項５】
ブラケットを棚板に固定したことを特徴とする請求項１〜４のいずれかに記載のトレー棚。
【請求項６】
棚板の前端より下方に向けてストッパーを設けるとともに、トレーの後端に上向きの係止爪を設け、トレーを棚板から引き出したときに、前記係止爪がストッパーに係止されて、トレーの脱落が防止されるようにしたことを特徴とする請求項１〜５のいずれかに記載のトレー棚。
【請求項７】
棚板のストッパーを、棚板の前端を、下向き、後向き、上向きに順次折り曲げて、前記上向き片をもって形成するとともに、トレーの係止爪を、トレーの後面板の上端を、左右側面板の上端より、上方に突出させることにより形成し、トレーを棚板から引き出したときに、係止爪の前面が、前記ストッパーの後面に当接して、トレーの脱落が防止されるようにしたことを特徴とする請求項６記載のトレー棚。
【請求項８】
トレー棚の後部に配設した支持体に掛止させたブラケットにおける水平片の前端を、棚板の前端における上向き片の上端と、棚板の下面との間の間隙内に嵌挿させた状態で、ブラケット間に棚板を架設したことを特徴とする請求項７記載のトレー棚。
【発明の詳細な説明】
【技術分野】
【０００１】
本発明は、物品収容用のトレーを棚板上に左右方向に多数並置してなるトレー棚に関し、特に病院や薬局の調剤室等において、薬剤を個別に収容した薬剤用トレーを多数並置するのに好適なトレー棚に関する。
【背景技術】
【０００２】
病院や薬局の調剤室においては、調剤作業を効率的に行うため、薬剤を個別に収容したトレーを左右方向に多数並置したトレー支持什器が使用されている。
【０００３】
このようなトレー支持什器としては、什器に設けた左右方向のレール部に、トレー後面に形成した下向き溝状の係止部を係止させることによって、複数のトレーを左右方向に並置可能としたものがある。
【０００４】
前記什器は、多数の薬剤を識別・区分して収容することができるとともに、什器を安価に製作することができるが、トレーの係止部によって、トレーおよびトレー載置物の重量を支持しなければならないため、支持強度の面で必ずしも十分ではない。
【０００５】
また、什器の後部の支持体に係止させた左右の支持ブラケット間に架設した棚板上に、トレーを載置可能としたトレー棚に関する発明は公知である（特許文献１、２参照）。
【０００６】
これらの特許文献に記載の発明によれば、トレーおよびトレー支持部の特定部分に過度に負荷が掛かることがなく、トレーを安全に支持することができるが、一方、次のような問題がある。
図８は、前記発明のトレー棚の要部拡大斜視図、図９は、図８に示したトレー棚における棚板上に、複数のトレーを左右方向に並置した状態を示す要部正面図である。
【０００７】
トレー棚の後部に左右方向に所定の間隔で３本の支柱０１が設けられ、それぞれの支柱０１にブラケット０２が係止されている。３個のブラケット０２間には、棚板０３が架設され、左右端には側面板０４が設けられている。ブラケット０２は、周知の側面視においてほぼ三角形状のものであり、ブラケット０２の支柱０１への係止部は、支持する棚板０３の下方に位置している。
【０００８】
隣接するブラケット０２、０２間の棚板０３上に、複数のトレー０４が並置されているが、前記ブラケット０２、０２間の左右方向の空間長さが、トレー０４の左右幅の整数倍の長さと同じになっていないため、トレー０４が並置できない無駄な空間０５が生じている。これは、ブラケット０２が側面視ほぼ三角形状をなしており、隣接する上段の棚板０３を支持するブラケット０２が邪魔になり、この位置にトレー０４を並置することができないことに起因する。
【特許文献１】特開２００１−２９９４７０号公報
【特許文献２】特開２００１−０７０４００号公報
【発明の開示】
【発明が解決しようとする課題】
【０００９】
本発明は、上記の現状に鑑み、トレーの左右幅の大小を問わず、トレーを並置できない無駄な空間を極力排除し、トレーを棚板上に、効率的に可及的多く並置することができるトレー棚を提供することを目的とする。
【課題を解決するための手段】
【００１０】
上記課題は、「特許請求の範囲」の欄における各請求項に記載するように、次のような構成からなる発明によって解決される。
（１）複数の物品収容用のトレーを、棚板上に左右方向に並置してなるトレー棚において、ブラケットを、前後方向の水平片と、この水平片後端より、上方または下方の少なくとも一方に向けて連設した支持片とによって、側面視横向きＬ字状または横向きＴ字状に形成した棚板支持部と、前記支持片の後面に取り付けた掛止部とから形成するとともに、複数の前記ブラケットを、トレー棚の後部に配設した支持体に前記掛止部をもって掛止し、かつこれらブラケット間に、後端に上向きの落ち止め片を設けた棚板を架設したトレー棚とする。
【００１１】
（２）上記(１)項において、トレー棚の後部に配設した支持体を、複数の支柱によって構成する。
【００１２】
（３）上記(１)項または(２)項において、トレー棚の後部に配設した支持体に掛止した複数のブラケットのうち、左右端のブラケットの左右方向の外側位置に、側面板を設けるか、または側面板を設けずに側方が開放された形態で構成する。
【００１３】
（４）上記(３)項において、左右端のブラケットの左右方向の外側位置の少なくとも一方に側面板を設けずに側方を開放した形態の複数のトレー棚を、開放端部同士を隣接して配置し、隣接する左右のトレー棚における両棚板に跨ってトレーを左右方向に並置可能とする。
【００１４】
（５）上記(１)〜(４)項のいずれかにおいて、ブラケットを棚板に固定する。
【００１５】
（６）上記(１)〜(５)項のいずれかにおいて、棚板の前端より下方に向けてストッパーを設けるとともに、トレーの後端に上向きの係止爪を設け、トレーを棚板から引き出したときに、前記係止爪がストッパーに係止されて、トレーの脱落が防止されるようにする。
【００１６】
（７）上記(６)項において、棚板のストッパーを、棚板の前端を、下向き、後向き、上向きに順次折り曲げて、前記上向き片をもって形成するとともに、トレーの係止爪を、トレーの後面板の上端を、左右側面板の上端より、上方に突出させることにより形成し、トレーを棚板から引き出したときに、係止爪の前面が、前記ストッパーの後面に当接して、トレーの脱落が防止されるようにする。
（８）上記(７)項において、トレー棚の後部に配設した支持体に掛止させたブラケットにおける水平片の前端を、棚板の前端における上向き片の上端と、棚板の下面との間の間隙内に嵌挿させた状態で、ブラケット間に棚板を架設する。
【発明の効果】
【００１７】
本発明によると、次のような効果が奏せられる。
請求項１記載の発明によれば、ブラケットが側面視横向きＬ字状または横向きＴ字状の形状を有しているため、トレーを並置するうえで、ブラケットが邪魔にならず、ブラケットが存在する位置にも、トレーを並置することができる。そのため左右端のブラケット間に設けられた中間のブラケットが位置する部分にトレーを並置することができるばかりでなく、左右端のブラケットの外側に、左右側面板が設けられているトレー棚の場合、左右端のブラケットが位置する部分をも含む、左右側面板間の広い空間内に、トレーを連続して並置することができるため、トレーの左右幅の大小を問わず、トレーを並置できない無駄な空間を極力排除することができ、トレーを棚板上に効率的に可及的多く並置することができる。
【００１８】
請求項２記載の発明によれば、支持体を簡単に構成することができるとともに、支柱の前面に、掛止孔を所定の間隔で連続して設けることにより、上下の棚板間の間隔寸法を所望の大きさにすることができる。
【００１９】
請求項３記載の発明によれば、側面板により、トレーの左右方向への落下を防止できるとともに、トレー棚の強度を向上させることができる。
【００２０】
請求項４記載の発明によれば、隣接する左右のトレー棚における両棚板に跨ってトレーを左右方向に並置可能であるため、一層無駄な空間が排除され、トレーを極めて効率的に棚板上に並置することができる。
【００２１】
請求項５記載の発明によれば、ブラケットが棚板に固定されているため、棚板の取付作業の際に、まずブラケットを支柱に掛止し、この掛止したブラケットの上に、棚板を支持させるという２工程を経ることなく、ブラケットが固定された棚板を、そのまま１工程で支柱に掛止させて、棚板を支柱に取り付けることができるため作業性がよい。特に、棚板間の上下間隔を調整するために、棚板の上下方向の掛止位置を変更する場合などに作業を簡単に行うことができる。
【００２２】
請求項６記載の発明によれば、簡単な構造で、トレーの脱落を防止することができる。
【００２３】
請求項７記載の発明によれば、トレーの引き出し量を、可及的大きくすることができるとともに、トレーの脱落を確実に防止することができる。
【００２４】
請求項８記載の発明によれば、ブラケットにおける水平片の前端が、棚板における前端の上向き片の上端と、棚板の下面との間の間隙内に嵌挿されているため、棚板に下方から上向きの力が負荷されても、棚板が上方に浮き上がることがない。
【発明を実施するための最良の形態】
【００２５】
以下、本発明の実施形態を、図面に基づいて説明する。
図１は、本発明の一実施形態のトレー棚を示す斜視図、図２は、図１に示すトレー棚の要部拡大前上方斜視図、図３は、同じく図１に示すトレー棚の要部拡大後上方斜視図、図４は、ブラケットの拡大後上方斜視図である。
【００２６】
図１に示すように、本発明のトレー棚は、後部に、左右方向に３本の支柱１が所定間隔で配設され、左右端の支柱１、１の外側に左右の側面板２、２が設けられている。
【００２７】
図２、図３に示すように、支柱１には、前面に掛止孔３が上下方向に等間隔で穿設されている。各支柱１には、ブラケット４が取り付けられ、左右方向の３つのブラケット４間に、棚板５が架設されている。
【００２８】
ブラケット４は、図４に示すように、前後方向の水平片６ａと、この水平片６ａの後端より、上方に向けて連設された支持片６ｂとによって、側面視横向きＬ字状に形成された棚板支持部６と、前記支持片６ｂの後面に固着された掛止部７とからなる。
【００２９】
掛止部７には、後下向きの３個のフックからなる掛止手段７ａが設けられている。
【００３０】
ブラケット４は、掛止手段７ａを、支柱１の前面の掛止孔３に掛止させることにより、支柱１に取り付けられている。
【００３１】
棚板５は、図３に示すように、後端に上向きの落ち止め片５ａが連設されているとともに、前端を、下向き、後向き、上向きに順次折り曲げて、前記上向き片５ｂを、後記するストッパー８として機能させるように形成されている。
【００３２】
棚板５は、ブラケット４における水平片６ａの前端６ｃを、棚板５の前端における上向き片５ｂの上端と、棚板５の下面との間の間隙５ｃ内に嵌挿させた状態で、各支柱１に取り付けたブラケット４間に架設されている。
【００３３】
ブラケット４の前端６ｃが、棚板５の前記間隙５ｃ内に嵌挿されているため、棚板５に下方から上向きの力が負荷されても、棚板５が上方に浮き上がることがない。
【００３４】
図２に示すように、棚板５の後端に上向きに連設された落ち止め片５ａの上端は、後下向きに折り返されている。この折り返し片５ｄは、ブラケット４における後端の支持片６ｂが位置する部分が切欠かれている。そのため、前記切欠部の左右端５ｅは、ブラケット４の支持片６ｂの左右端に当接し、棚板５が左右にずれることが防止されている。
【００３５】
トレー９は、平面視において、前後方向に長い四辺形をなす透明の箱状体であり、後面板９ａの上端が、左右側面板９ｂ、９ｂの上端より、上方に突出する状態で後下向きに折り曲げられ、この上端突出部９ｃが後記する係止爪として機能するように形成されている。
【００３６】
トレー９の前部には、左右側面板９ｂおよび底板９ｅを前面板９ｄよりも前方に延設するとともに、その前端には、薬名カード入れを兼ねた手掛け部９ｆが形成されている。
【００３７】
トレー９を、手掛け部９ｆに手指を掛けて、棚板５より前方に引き出すと、トレー９の係止爪９ｃの前面が、上段の棚板５のストッパー８（図３参照）の後面に当接し、トレー９の脱落が防止される。
【００３８】
図５は、図１〜図３に示したトレー棚における棚板５上に、複数のトレー９を左右方向に並置した状態を示す要部正面図である。
【００３９】
ブラケット４が側面視横向きＬ字状をなしているため、トレー９を並置するうえで、ブラケット４が邪魔にならず、ブラケット４が存在する位置にもトレー９を並置することができる。そのため、左右端のブラケット間に設けられた中間のブラケット４が位置する部分にトレー９を並置することができるばかりでなく、左右端のブラケット４、４が位置する部分をも含む左右側面板２、２間の広い空間内に、トレー９を連続して並置することができ、トレー９を並置できない無駄な空間は極力排除され、トレー９の左右幅の大小を問わず、効率的にトレー９を棚板５上に並置することができる。
【００４０】
本発明のトレー棚は、前記の実施形態のように、トレー棚の後部に配設した支持体に掛止した複数のブラケットのうち、左右端のブラケットの左右方向の外側位置に側面板を設けるもの以外に、側面板を設けずに、側方が開放された形態で構成することもできる。
【００４１】
さらに、左右端のブラケットの左右方向の外側位置の少なくとも一方に側面板を設けずに側方を開放した形態の複数のトレー棚を、開放端部同士を隣接して配置し、隣接する左右のトレー棚における両棚板に跨ってトレーを左右方向に並置可能とした形態に構成したものも、本発明の効果が有効に奏されるものであり、推奨される実施形態である。
【００４２】
図６、図７は、それぞれ、ブラケットの別の実施形態を示す図４に相当する拡大斜視図である。
【００４３】
図６に示すブラケット１１は、水平片１１ａの後端に、下向きに支持片１１ｂを連設し、この支持片１１ｂの後面に、掛止手段１２ａを有する掛止部１２を固定したものである。
【００４４】
図７に示すブラケット１２は、水平片１３ａの後端に上向きの支持片１３ｂを有する棚板支持部材１３と、水平片１４ａの後端に下向きの支持片１４ｂを有する棚板支持部材１４との両者を両水平片１３ａ、１４ａを重合させることにより一体化して、棚板支持部１５を形成するとともに、両支持片１３ｂ、１４ｂに、掛止手段１６ａを有する１個の掛止部１６を固着して、側面視横向きＴ字状に形成されている。
【００４５】
このような横向きＴ字状のブラケットは、比較的重量の大きい多くのトレーを並置する棚板を支持する必要がある場合に有効である。
【００４６】
本発明におけるブラケット、特に側面視において横向きＬ字状をしたブラケットは、ブラケットを支柱に掛止する前に予め棚板に固定しておいても、ブラケットが棚板から大きく突出することがなく、棚板を取り扱ううえで支障とならない。
【００４７】
ブラケットを予め棚板に固定しておくことにより、棚板の取付作業の際に、まずブラケットを支柱に掛止し、この掛止したブラケットの上に、棚板を支持させるという２工程を経ることなく、ブラケットが固定された棚板を、そのまま１工程で支柱に掛止させて、棚板を支柱に取り付けることができるため作業性に優れる。
【図面の簡単な説明】
【００４８】
【図１】本発明の一実施形態のトレー棚を示す斜視図である。
【図２】図１に示すトレー棚の要部拡大前上方斜視図である。
【図３】同じく、図１に示すトレー棚の要部拡大後上方斜視図である。
【図４】ブラケットの拡大後上方斜視図である。
【図５】図１〜図３に示したトレー棚における棚板上に、複数のトレーを並置した状態を示す要部正面図である。
【図６】ブラケットの別の実施形態を示す図４に相当する拡大後上方斜視図である。
【図７】同じく、ブラケットのさらに別の実施形態を示す図４に相当する拡大後上方斜視図である。
【図８】従来のトレー棚の要部拡大斜視図である。
【図９】図８に示したトレー棚における棚板上に、複数のトレーを並置した状態を示す要部正面図である。
【符号の説明】
【００４９】
１  支柱
２  側面板
３  掛止孔
４  ブラケット
５  棚板
５ａ  落ち止め片
５ｂ  上向き片
５ｃ  間隙
５ｄ  折り返し片
５ｅ  左右端
６  棚板支持部
６ａ  水平片
６ｂ  支持片
６ｃ  前端
６ｄ  切欠部
７  掛止部
７ａ  掛止手段
８  ストッパー
９  トレー
９ａ  後面板
９ｂ  左右側面板
９ｃ  係止爪（上端突出部）
９ｄ  前面板
９ｅ  底板
９ｆ  手掛け部
１１  ブラケット
１１ａ  水平片
１１ｂ  支持片
１２  掛止部
１２ａ  掛止手段
１３  棚板支持部材
１３ａ  水平片
１３ｂ  支持片
１４  棚板支持部材
１４ａ  水平片
１４ｂ  支持片
１５  棚板支持部
１６  掛止部
１６ａ  掛止手段
０１  支柱
０２  ブラケット
０３  棚板
０４  トレー
【図１】
2008212304.tif 000003
【図２】
2008212304.tif 000004
【図３】
2008212304.tif 000005
【図４】
2008212304.tif 000006
【図５】
2008212304.tif 000007
【図６】
2008212304.tif 000008
【図７】
2008212304.tif 000009
【図８】
2008212304.tif 000010
【図９】
2008212304.tif 000011